(57)【要約】【課題】  例えばロックのライブコンサートにおいて、歌手が舞台から離れて花道を歩き、或いは花道や客席においてギターを演奏し、または踊る、飛び跳ねる、等のライブパフォーマンスを行うことと、舞台に戻ってマイクに向かって歌う動作の間に間を置かないようにするギター、ベース、三味線及びウクレレ等の楽器を提供する。【解決手段】  ギターのヘッドの背面にトランスミッターを一体的に装着すると共に、ヘッドの背面側から見てパフォーマーの利き腕側のヘッド側面上部、又はヘッドの頂部にマイク５を配設し、舞台から離れた場所においてギターのネック７を持ってマイクに向かって歌う。【選択図】図２
2011059645.tif 000002
【特許請求の範囲】
【請求項１】
ギター、ベース、三味線及びウクレレ等の楽器のヘッドの背面にトランスミッターを一体的に装着すると共に、ヘッドの背面側から見てパフォーマーの利き腕側のヘッド側面上部、またはヘッドの頂部にマイクを配設したことを特徴とするワイヤレスマイクを取り付けたギター、ベース、三味線及びウクレレ等の楽器。
【請求項２】
ギター、ベース、三味線及びウクレレ等の楽器のヘッドに空洞部を形成し、この空洞部にトランスミッターを収納すると共に、ヘッドの背面側から見てパフォーマーの利き腕側のヘッド側面上部、またはヘッドの頂部にマイクを配設したことを特徴とするギター、ベース、三味線及びウクレレ等の楽器。
【発明の詳細な説明】
【技術分野】
【０００１】  この発明は、ワイヤレスマイクを取り付けたギター、ベース、三味線及びウクレレ（以下ギターにこれらを代表させて単にギターという）に係り、特に、ロックコンサート等におけるライブパフォーマンスの幅を広げることができる新規なギターに関する。
【背景技術】
【０００２】  例えばロックコンサートにおいて、舞台の前面にはスタンド型のマイクロフォン（以下単にマイクという）が設置されており、舞台の後方にはバンドが固定的に配置されていて、種々の楽器を演奏している。【０００３】  主役のライブパフォーマーは、ときには舞台正面のマイクを使って歌い、又はギターを演奏しつつ舞台上を移動し、或いは花道（舞台から客席に向かって延びる移動用の細い通路）の上を歩き、又は客席でギターを演奏し、あるいはギターを置いて舞台上で飛び跳ねたり踊ったりする。
【発明の概要】
【発明が解決しようとする課題】
【０００４】  上記したライブパフォーマンスにおいて、必要に応じて舞台正面のマイクに戻り歌うにあたり、パフォーマーが舞台から遠く離れた花道の突端にいる場合には、マイクのところまで戻るのに時間が掛かり、その間に間（ま）が空いてしまって感興が削がれることがある。【０００５】  それならば例えばテレビのキャスター等が用いている所謂ワイヤレスマイクを用いたら如何だろう、と考える人が居るかも知れないが、実は、パフォーマーは所謂イヤーモニターと称するワイヤレス受信装置を耳（の穴）に装着し、バンドの各楽器の演奏の状態をリアルタイムで確認しているので、このイヤーモニターに加えてワイヤレスマイクを装着することにすると、舞台正面のマイクを使うときにはワイヤレスマイクを外す、又は第三者が電源のＯＮ、ＯＦＦを操作する必要がある。【０００６】  また、自らワイヤレスマイクを外すときには、イヤーモニターも同時に外れてしまう可能性があり、その際に吐息や雑音が漏れて会場に聞こえてしまい非常に使い勝手が悪い。【０００７】  更にまた、ワイヤレスマイクを第三者が外すことにすると、パフォーマーの合図で第三者がワイヤレスマイクを外す必要があり、演奏中に何回もワイヤレスマイクを切り替えるので、このような操作は事実上不可能である。【０００８】  加えて、仮に装置を小型化してイヤーモニターとマイクを一体かつ小型化した装置を耳に装着したとしても、演奏中のパフォーマーの激しい運動に起因する喘ぎ（あえぎ）や吐息などをマイクが拾ってしまい、これが拡大されて会場内に流れるので、これも感興を削ぐことになる。【０００９】  そこで、この発明は、パフォーマーが舞台のマイクから遠く離れた場所にいてもマイクを使って歌うことができる新規なワイヤレスマイクを取り付けたギター等の楽器を提供することを目的としている。
【課題を解決するための手段】
【００１０】  上記の目的を達成するため、請求項１に記載の発明は、ギターのヘッドの背面にトランスミッターを一体的に装着すると共に、ヘッドの背面側から見てパフォーマーの利き腕側のヘッド側面上部、又はヘッドの頂部にマイクを配設したことを特徴とする。【００１１】  また、請求項２に記載の発明は、ギターのヘッドに空洞部を形成し、この空洞部にトランスミッターを収納すると共に、ヘッドの背面側から見てパフォーマーの利き腕側のヘッド側面上部、またはヘッドの頂部にマイクを配設したことを特徴とする。
【発明の効果】
【００１２】  上記のように構成されたこの発明によるギターは、請求項１に記載のものも、また、請求項２に記載のものも、パフォーマンス中ギターとマイクとを常時携帯できるので、ギターの演奏とマイクの使用とを何時でも切り替えることができ、その結果、ライブパフォーマンスの幅と振り付けの自由度が格段に増大する。【００１３】  また、マイクを使用するときギターのネック（ヘッドと共鳴部とを連結する細長い杆体部）を握ることができるので、マイクの使用感がスタンド型のマイクのそれと同様であり、使い勝手が良い、等種々の効果を奏する。
【図面の簡単な説明】
【００１４】
【図１】  請求項１に記載の発明の一実施例を示すヘッド背面の拡大図。
【図２】  この発明によるギターの一使用例を示す線図。
【図３】  この発明によるギターの他の使用例を示す線図。
【図４】  請求項１に記載の発明の他の実施例を示すヘッド背面の拡大図。
【発明を実施するための形態】
【００１５】  ギターのヘッドにトランスミッターとマイクとを装着するという簡単な構成で、ライブパフォーマンスの幅と振り付けの自由度とが拡大に増大した。
【実施例１】
【００１６】  図１は請求項１に記載の発明の一実施例を示し、同図で付番しないヘッドの背面のペグ１の弦巻取り軸２、２列間の細長い隙間部分に、細長いトランスミッター３が取付板４、４を介してねじ止めされている。【００１７】  このトランスミッター３の右側、すなわちヘッドの背面側から見てパフォーマーの利き腕側のヘッド側面部（図１で右側）で、一番上と２番目のペグ１、１間にマイク５が配設されている。【００１８】  図１に示すマイク５は、付番しない取付軸を介してトランスミッター３の側面に固定されている。なお、マイク５の取付位置は、ヘッドの頂部６であっても良い。【００１９】  上記のように構成されたこの発明の一実施例によるギターは、例えば図２に示すように、弦が張ってあるギター正面を観客に見せるようにして、利き腕とは反対側の腕でネック７やヘッドを握ってマイクを使用する。【００２０】  或いは、図３に示すように、弦が張ってあるギター正面をパフォーマーに向け、利き腕でネック７を握ってマイクを使用する。【００２１】  そのときの効果は前記発明の効果の項に記載した通りである。
【実施例２】
【００２２】  図４は請求項１に記載の発明の他の実施例を示し、図４に示す実施例では、平たいトランスミッター３を、透明な粘着テープ８により、ギターのヘッドに一体的に装着してある。【００２３】  なお、前記したように、ヘッドの裏側には弦巻取り軸２、２が突出しているから、トランスミッター３とヘッド背面との間に適当な形状のスペーサーを介在させることは勿論である。【００２４】  なお、図４に示す実施例においても、マイク５の配設位置は、図１に示す実施例と同様に、ヘッドの背面側から見てパフォーマーの利き腕側のヘッド側面上部、又はヘッドの頂部である。【００２５】  また、使用の態様も図２及び図３に示すものと同様である。
【実施例３】
【００２６】  上記した実施例においては、トランスミッター３及びマイク５を既成のギターのヘッドに装着するものとしたが、本発明によるギターを新規に設計するときには、ヘッドの厚みを増大させて内部に空洞を形成し、この空洞部にトランスミッターを収納すると良い。【００２７】  この場合、上記空洞部を弦巻取り軸２、２が貫通することになるが、この場合でも図１に示すトランスミッター３程度の大きさのスペースを確保することは容易である。
【実施例４】
【００２８】  なお、図示はしないが、本発明をギターではなくベース（楽器名）、三味線或いはウクレレに適用できることは勿論で、この場合における発明の構成、及び効果は図示のものと同様である。
【実施例５】
【００２９】  また、三味線の竿（ギターのネック）の先端はギターのヘッドのように拡開しておらず、ペグに相当するものが竿頭を左右に貫通しているが、竿頭をギターのヘッドに見立ててその裏側にトランスミッターを装着することは可能である。
【符号の説明】
【００３０】  １  ペグ
２  弦巻取り軸
３  トランスミッター
４  取付板
５  マイク
６  頂部
７  ネック
８  粘着テープ
【図１】
2011059645.tif 000003
【図２】
2011059645.tif 000004
【図３】
2011059645.tif 000005
【図４】
2011059645.tif 000006